(57)【要約】【課題】取付作業性の向上を図ったメータ、メータ本体及びメータカバーを提供する。【解決手段】アッパカバー１２０をメータ本体１１０に取り付ける際に、アッパカバー１２０に設けたカバー側リブをメータ本体に設けた本体側リブ１１３に嵌合させて、アッパカバー１２０のメータ本体１１０に対する位置決めを行う。これにより、切欠部１２２とコネクタ１１２との位置ズレを防いで、オプションメータ２００の取付作業性を向上させる。【選択図】図１
2006189316.tif 000002
【特許請求の範囲】
【請求項１】
正面に表示器が設けられるとともに、オプションメータを電気的に接続するためのコネクタが設けられたメータ本体と、該メータ本体を覆うメータカバーとを備え、前記メータカバー側面に設けられた切欠部から前記メータ本体に設けられたコネクタが露出するメータであって、
前記メータ本体と前記メータカバーとには各々、互いに嵌合することにより、互いの位置を決めるための位置決め手段が設けられていることを特徴とするメータ。
【請求項２】
請求項１記載のメータであって、
前記メータ本体側及び前記メータカバーの何れか一方の位置決め手段は、頂面に嵌合穴が形成された第１凸状部を有し、
他方の位置決め手段は、前記嵌合穴に挿入されて嵌合する第２凸状部を有し、
前記第１凸状部の嵌合穴を形成する部分の側面には開口が形成されていることを特徴とするメータ。
【請求項３】
請求項２記載のメータであって、
前記第１凸状部は、断面略コの字状であり、
前記第２凸状部は、前記コの字状の第１凸状部において、互いに略平行な一対の板状部に挟まれて嵌合する第１嵌合部が形成されていることを特徴とするメータ。
【請求項４】
請求項３記載のメータであって、
前記第２凸状部は、前記コの字状の第１凸状部において、前記一対の板状部と垂直な板状部を挟んで嵌合する第２嵌合部が形成されていることを特徴とするメータ。
【請求項５】
請求項１〜４何れか１項記載のメータであって、
前記メータ本体側及び前記メータカバー側の何れか一方の位置決め手段には、他方の位置決め手段と嵌合して接触する部分に弾性凸部が立設されていることを特徴とするメータ。
【請求項６】
正面に表示器が設けられるとともに、オプションメータを電気的に接続するためのコネクタが設けられたメータ本体であって、
当該メータ本体を覆うとともに、側面から前記コネクタを露出する切欠部が設けられたメータカバー側の位置決め手段と嵌合することにより、互いの位置を決めるメータ側位置決め手段が設けられていることを特徴とするメータ本体。
【請求項７】
正面に表示器が設けられ、オプションメータを電気的に接続するためのコネクタが設けられたメータ本体を覆うとともに、側面に前記コネクタを露出するための切欠部が設けられたメータカバーであって、
前記メータ本体側の位置決め手段と嵌合することにより、互いの位置を決めるメータカバー側位置決め手段が設けられていることを特徴とするメータカバー。
【発明の詳細な説明】
【技術分野】
【０００１】
本発明は、メータ、メータ本体及びメータカバーに係り、特に、メータ本体と、当該メータ本体を覆うメータカバーとを備えたメータ、当該メータに用いられるメータ本体及びメータカバーに関するものである。
【背景技術】
【０００２】
従来、例えばスピードメータといったメインのメータ本体に加えて、タコメータといったオプションメータを取り付ける技術として、特許文献１に示されたものが開示されている。特許文献１に示されたメータについて、図７を参照して以下説明する。図７（Ａ）は従来のメータの一例を示す分解概略斜示図であり、（Ｂ）はオプションメータ取付前の部分断面図であり、（Ｃ）はオプションメータ取付後の部分断面図である。
【０００３】
同図に示すように、メータ８は、例えばスピードメータであり、正面に表示器８１ａが設けられるとともに、オプションメータ４０を電気的に接続するためのコネクタ８１ｂ（図７（Ｂ）、（Ｃ）参照）が設けられたメータ本体８１と、このメータ本体８１を覆うメータカバー８２とを備えている。上述したメータカバー８２の側面には、上述したコネクタ８１ｂが露出する開口部８２ａ（＝切欠部）と、開口部８２ａの内側に、後述するオプションメータ４０のホールカバー４３に設けられた係合ツメ４３ａと係合する係合段部８２ｂが形成されている。
【０００４】
一方、オプションメータ４０は、オプションメータ本体４１と取付部４２とから構成されている。オプションメータ本体４１は例えばタコメータである。取付部４２は柱状であり、オプションメータ本体４１の下部に延設されている。取付部４２の下端内部には、メータ本体８１に設けられたコネクタ８１ｂとコネクタ接続して、メータ本体８１と電気的に接続するためのコネクタ４４が設けられている。また、取付部４２の下端外部には、メータカバー８２に設けた開口部８２ａを塞ぐホールカバー４３が設けられ、ホールカバー４３には上述した係合段部８２ｂと係合する係合ツメ４３ａが設けられている。
【０００５】
取付時、まず図７（Ｂ）に示すように、オプションメータ４０の取付部４２のホールカバー４３をメータ８の開口部８２ａに合わせ、次いでホールカバー４３に設けた係合ツメ４３ａを開口部８２ａに挿入する。そして、図７（Ｃ）に示すように、コネクタ４４をコネクタ８１ｂに差し込み、係合ツメ４３ａを係合段部８２ｂに係合させ、メータ８へのオプションメータ４０の取付が完了する。オプションメータ４０が不要な場合は、開口部８２ａが形成されていないカバーをメータカバーとして用いる。
【特許文献１】特開２００３−１４９００９号公報
【発明の開示】
【発明が解決しようとする課題】
【０００６】
一般的に、メータカバー８２をメータ本体８１に取り付ける際には、メータカバー８２の正面開口部からメータ本体８１の表示器８１ａが露出するように取り付けていた。ところで、上述したオプションメータ４０の取付可能なメータ８においては、メータ本体８１とメータカバー８２との位置決めを厳密に行う必要がある。
【０００７】
なぜならば、メータカバー８２に設けられた開口部８２ａとメータ本体８１に設けられたコネクタ８１ｂとの間にわずかでもズレが生じてしまうと、ホールカバー４３に設けた係合ツメ４３ａを開口部８２ａに挿入しても、コネクタ４４をコネクタ８１ｂに差し込むことができず、係合ツメ４３ａを係合段部８２ｂに係合させることもできなくなってしまうからである。また仮にコネクタ４４をコネクタ８１ｂに差し込むことができても、開口部８２ａとホールカバー４３との間に生じる隙間が一定とならず見た目が悪くなる。
【０００８】
従って、従来のように単にメータカバー８２の正面開口部からメータ本体８１の表示器８１ａが露出するように取り付けるだけでは、メータカバー８２に設けられた開口部８２ａとメータ本体８１に設けられたコネクタ８１ｂとの位置を厳密に決めることが難しく、取付作業性が悪いという問題が生じていた。
【０００９】
そこで、本発明は、上記のような問題点に着目し、取付作業性の向上を図ったメータ、メータ本体及びメータカバーを提供することを課題とする。
【課題を解決するための手段】
【００１０】
上記課題を解決するためになされた請求項１記載の発明は、正面に表示器が設けられるとともに、オプションメータを電気的に接続するためのコネクタが設けられたメータ本体と、該メータ本体を覆うメータカバーとを備え、前記メータカバー側面に設けられた切欠部から前記メータ本体に設けられたコネクタが露出するメータであって、前記メータ本体と前記メータカバーとには各々、互いに嵌合することにより、互いの位置を決めるための位置決め手段が設けられていることを特徴とするメータに存する。
【００１１】
請求項１記載の発明によれば、メータ本体とメータカバーとに各々、互いに嵌合することにより、互いの位置を決めるための位置決め手段を設ける。従って、メータ本体とメータカバーとに各々設けた位置決め手段を互いに嵌合させるだけで、簡単に、かつ、正確にメータ本体とメータカバーとの位置決めを行うことができる。これにより、メータ本体に設けたコネクタとメータカバーに設けた切欠部との間に位置ズレが生じることもなく、確実にオプションメータに設けたホールカバーで切欠部を塞ぎつつ、オプションメータに設けたコネクタをメータ本体に設けたコネクタと接続して、オプションメータを取り付けることができる。
【００１２】
請求項２記載の発明は、請求項１記載のメータであって、前記メータ本体側及び前記メータカバーの何れか一方の位置決め手段は、頂面に嵌合穴が形成された第１凸状部を有し、他方の位置決め手段は、前記嵌合穴に挿入されて嵌合する第２凸状部を有し、前記第１凸状部の嵌合穴を形成する部分の側面には開口が形成されていることを特徴とするメータに存する。
【００１３】
請求項２記載の発明によれば、メータ本体側及びメータカバーの何れか一方の位置決め手段は、頂面に嵌合穴が形成された第１凸状部を有する。他方の位置決め手段は、嵌合穴に挿入されて嵌合する第２凸状部を有する。第１凸状部の嵌合穴を形成する部分の側面には開口が形成されている。従って、第１凸状部側面に開口を形成することにより、第１凸状部の頂面側からだけでなく、側面開口から第２凸状部を嵌合穴内に挿入することができるため、メータカバーの取付軌跡が制限されることがない。
【００１４】
請求項３記載の発明は、請求項２記載のメータであって、前記第１凸状部は、断面略コの字状であり、前記第２凸状部は、前記コの字状の第１凸状部において、互いに略平行な一対の板状部に挟まれて嵌合する第１嵌合部が形成されていることを特徴とするメータに存する。
【００１５】
請求項３記載の発明によれば、第１凸状部は、断面略コの字状である。第２凸状部は、断面略コの字状の第１凸状部において、互いに略平行な一対の板状部に挟まれて嵌合する第１嵌合部が形成されている。従って、第１凸状部の断面を略コの字状にすることにより、第１凸部の頂面側からだけでなく、略コの字状の側面開口から第２凸状部の第１嵌合部を挿入して一対の板状部で挟んで嵌合することができるため、メータカバーの取付軌跡が制限されることがない。
【００１６】
請求項４記載の発明は、請求項３記載のメータであって、前記第２凸状部は、前記コの字状の第１凸状部において、前記一対の板状部と垂直な板状部を挟んで嵌合する第２嵌合部が形成されていることを特徴とするメータに存する。
【００１７】
請求項４記載の発明によれば、第２嵌合部が、コの字状部の一対の板上部と垂直な板状部を挟んで嵌合する。従って、第２嵌合部により一対の板状部と平行方向の位置決めを正確に行うことができる。
【００１８】
請求項５記載の発明は、請求項１〜４何れか１項記載のメータであって、前記メータ本体側及び前記メータカバー側の何れか一方の位置決め手段には、他方の位置決め手段と嵌合して接触する部分に弾性凸部が立設されていることを特徴とするメータに存する。
【００１９】
請求項５記載の発明によれば、メータ本体側及びメータカバー側の何れか一方の位置決め手段には、他方の位置決め手段と嵌合して接触する部分に弾性凸部が立設されている。従って、メータ本体側及びメータカバー側位置決め手段を嵌合する際に、弾性凸部をつぶす当て設計にしているため、嵌合後のガタつきがなくなる。
【００２０】
請求項６記載の発明は、正面に表示器が設けられるとともに、オプションメータを電気的に接続するためのコネクタが設けられたメータ本体であって、当該メータ本体を覆うとともに、側面から前記コネクタを露出する切欠部が設けられたメータカバー側の位置決め手段と嵌合することにより、互いの位置を決めるメータ側位置決め手段が設けられていることを特徴とするメータ本体に存する。
【００２１】
請求項６記載の発明によれば、正面に表示器が設けられるとともに、オプションメータを電気的に接続するためのコネクタが設けられたメータ本体に、メータ本体を覆うとともに、側面から前記コネクタを露出する切欠部が設けられたメータカバー側の位置決め手段と嵌合することにより、互いの位置を決めるメータ側位置決め手段を設ける。従って、メータ本体とメータカバーとに各々設けた位置決め手段を互いに嵌合させるだけで、簡単に、かつ、正確にメータ本体とメータカバーとの位置決めを厳密に行うことができる。これにより、メータ本体に設けたコネクタとメータカバーに設けた切欠部との間に位置ズレが生じることもなく、確実にオプションメータに設けたホールカバーで切欠部を塞ぎつつ、オプションメータに設けたコネクタをメータ本体に設けたコネクタと接続して、オプションメータを取り付けることができる。
【００２２】
請求項７記載の発明は、正面に表示器が設けられ、オプションメータを電気的に接続するためのコネクタが設けられたメータ本体を覆うとともに、側面に前記コネクタを露出するための切欠部が設けられたメータカバーであって、前記メータ本体側の位置決め手段と嵌合することにより、互いの位置を決めるメータカバー側位置決め手段が設けられていることを特徴とするメータカバーに存する。
【００２３】
請求項７記載の発明によれば、正面に表示器が設けられ、オプションメータを電気的に接続するためのコネクタが設けられたメータ本体を覆うとともに、側面に前記コネクタを露出するための切欠部が設けられたメータカバーに、メータ本体側の位置決め手段と嵌合することにより、互いの位置を決めるメータカバー側位置決め手段を設ける。従って、メータ本体とメータカバーとに各々設けた位置決め手段を互いに嵌合させるだけで、簡単に、かつ、正確にメータ本体とメータカバーとの位置決めを厳密に行うことができる。これにより、メータ本体に設けたコネクタとメータカバーに設けた切欠部との間に位置ズレが生じることもなく、確実にオプションメータに設けたホールカバーで切欠部を塞ぎつつ、オプションメータに設けたコネクタをメータ本体に設けたコネクタと接続して、オプションメータを取り付けることができる。
【発明の効果】
【００２４】
以上説明したように請求項１、６及び７記載の発明によれば、メータ本体とメータカバーとに各々設けた位置決め手段を互いに嵌合させるだけで、簡単に、かつ、正確にメータ本体とメータカバーとの位置決めを行うことができる。これにより、メータ本体に設けたコネクタとメータカバーに設けた切欠部との間に位置ズレが生じることもなく、確実にオプションメータに設けたホールカバーで切欠部を塞ぎつつ、オプションメータに設けたコネクタをメータ本体に設けたコネクタと接続して、オプションメータを取り付けることができるので、取付作業性の向上を図ったメータ、メータ本体及びメータカバーを得ることができる。
【００２５】
請求項２記載の発明によれば、第１凸状部側面に開口を形成することにより、第１凸状部の頂面側からだけでなく、側面開口から第２凸状部を嵌合穴内に挿入することができるため、メータカバーの取付軌跡が制限されることがないので、より一層取付作業性の向上を図ったメータを得ることができる。
【００２６】
請求項３記載の発明によれば、第１凸状部の断面を略コの字状にすることにより、第１凸部の頂面側からだけでなく、略コの字状の側面開口から第２凸状部の第１嵌合部を挿入して一対の板状部で挟んで嵌合することができるため、メータカバーの取付軌跡が制限されることがないので、より一層取付作業性の向上を図ったメータを得ることができる。
【００２７】
請求項４記載の発明によれば、第２嵌合部により一対の板状部と平行方向の位置決めを正確に行うことができるので、より一層取付作業性の向上を図ったメータを得ることができる。
【００２８】
請求項５記載の発明によれば、メータ本体側及びメータカバー側位置決め手段を嵌合する際に、弾性凸部をつぶす当て設計にしているため、嵌合後のガタつきがなくなるので、ガタつきによる異音を防止することができるメータを得ることができる。
【発明を実施するための最良の形態】
【００２９】
以下、本発明のメータ、メータ本体及びメータカバーについて図面を参照して説明する。図１は、本発明のメータ本体、メータカバーを備えたメータを組み込んだステアリングコラムモジュールの部分分解斜示図であり、図２は図１に示すステアリングコラムモジュールの部分斜示図である。なお、本実施形態において、メータ本体は、ステアリングの上方に、そのステアリングとともに、コラムカバー内に収容される場合を例にして説明する。また、本実施形態においてコラムカバーはステアリングの上に位置するアッパカバーと下に位置するアンダカバーとから構成されている。図１においてはアンダカバー及びステアリングについては省略している。
【００３０】
同図に示すように、メータ１００は、正面に表示器１１１が設けられるとともに、オプションメータ２００を電気的に接続するためのコネクタ１１２が設けられたメータ本体１１０と、正面に表示器１１１を露出するための開口部１２１が形成され、メータ本体１１０を覆うアッパカバー１２０（＝メータカバー）とを備えている。上述したメータ本体１１０には、その外側面から立設された断面略コの字状の本体側リブ１１３が形成されている。
【００３１】
このアッパカバー１２０の側面には、上述したコネクタ１１２を露出するための切欠部１２２と、切欠部１２２の内周に後述するオプションメータ２００のホールカバー２２１に設けられた係合ツメ２２１ａと嵌合する係合段部（図示せず）が形成されている。またアッパカバー１２０には、その内側面から立設され、上述した本体側リブ１１３と嵌合してメータ本体１１０に対する位置決めを行うカバー側リブ１２３（図３参照）が形成されている。さらにアッパカバー１２０の下側には、組み立て時に、それぞれステアリングシャフト及びイグニッションスイッチ（何れも図示せず）を貫通させるための切欠部１２４、１２５が形成され、さらに、アンダーカバーに取り付けるための取付部１２６が形成されている。
【００３２】
上述したメータ本体１１０にアッパカバー１２０を組み付ける際には、アッパカバー１２０に設けたカバー側リブ１２３（＝メータ本体側位置決め手段、第２凸状部）とメータ本体１１０に設けた本体側リブ１１３（＝メータカバー側位置決め手段、第１凸状部）とを嵌合させて、メータ本体１１０とアッパカバー１２０との位置決めを行う。
【００３３】
一方、オプションメータ２００は、オプションメータ本体２１０と取付部２２０とから構成されている。取付部２２０は柱状であり、オプションメータ本体２１０の下部に延設されている。取付部２２０の下端内側には、従来と同様にメータ本体１１０に設けられたコネクタ１１２とコネクタ接続して、メータ本体１１０と電気的に接続するためのコネクタ（図示せず）が設けられている。また、取付部２２０の下端外側には、アッパカバー１２０に設けた切欠部１２２を塞ぐホールカバー２２１が設けられ、ホールカバー２２１には上述した図示しない係合段部と係合する係合ツメ２２１ａが設けられている。
【００３４】
取付時、まずオプションメータ２００の取付部２２０のホールカバー２２１をアッパカバー１２０の切欠部１２２に合わせ、次いでホールカバー２２１に設けた係合ツメ２２１ａを切欠部１２２に挿入する。そして、オプションメータ２００側のコネクタ（図示せず）をコネクタ１１２に差し込み、係合ツメ２２１ａを係合段部（図示せず）に係合させて、図２に示すように、メータ１００へのオプションメータ２００の取付が完了する。オプションメータ２００が不要な場合は切欠部１２２が形成されていないカバーをアッパカバーとして用いる。
【００３５】
以上の構成のステアリングコラムモジュールによれば、メータ本体１１０に設けた本体側リブ１１３とアッパカバー１２０に設けたカバー側リブ１２３とを互いに嵌合させるだけで、簡単に、かつ、正確にメータ本体１１０とアッパカバー１２０との位置決めを行うことができる。これにより、メータ本体１１０に設けたコネクタ１１２とアッパカバー１２０に設けた切欠部１２２との間に位置ズレが生じることもなく、オプションメータ２００に設けたホールカバー２２１と切欠部１２２との隙間Ｓ（図２参照）が一定になるように、ホールカバー２２１で切欠部１２２を塞ぎつつ、オプションメータ２００に設けたコネクタ（図示せず）をメータ本体１１０に設けたコネクタ１１２と接続して、オプションメータ２００を取り付けることができる。これにより、取付作業性の向上を図ることができる。
【００３６】
次に、上述したカバー側リブ１２３及び本体側リブ１１３の詳細について、図３〜図６を参照して説明する。図３（Ａ）及び（Ｂ）は各々、本体側リブ１１３の斜示図及び上面図である。図４は本体側リブ１１３にカバー側リブ１２３を嵌合させた状態での図３（Ｂ）におけるＩＩ−ＩＩ線断面図であり、図５は図４におけるＩＩＩ−ＩＩＩ線断面図であり、図６は図５におけるＩＶ−ＩＶ線断面図である。
【００３７】
図３に示すように、本体側リブ１１３は、メータ本体１１０の外側面から立設され、その頂面に後述するカバー側リブ１２３が挿入され嵌合する断面略正方形の嵌合穴１１３ａが形成されている。また本体側リブ１１３は、嵌合穴１１３ａを形成する側面のうち、正面側が開口１１３ｂとなっており、これにより断面コの字状に形成される。さらに本体側リブ１１３の内側には断面略三角形の三角リブ１１３ｃ（＝弾性凸部）が形成されている。
【００３８】
一方、カバー側リブ１２３は、図４〜図５に示すように、本体側リブ１１３において互いに略平行な一対の板状部１１３ｄ、１１３ｅに挟まれて嵌合する第１嵌合部１２３ａと、一対の板状部１１３ｄ、１１３ｅと垂直な板状部１１３ｆを挟んで嵌合する嵌合溝Ｄ（図６参照）が形成された第２嵌合部１２３ｂとが一体になって形成されている。
【００３９】
以上の構成によれば、本体側リブ１１３は、図３に示すように、嵌合穴１１３ａを形成する側面のうち、正面側が開口１１３ｂとなっている。これにより、図６に示すように、本体側リブ１１３の頂面側からだけでなく、正面開口１１３ｂからもカバー側リブ１２３の第１嵌合部１２３ａを嵌合穴１１３ａ内に挿入することができる。このように、アッパカバー１２０のメータ本体１１０に対する取付軌跡Ｙを考慮して本体側リブ１１３の開口１１３ｂを設けることにより、アッパカバー１２０の取付軌跡が制限されることがない。
【００４０】
また、本体側リブ１１３は、断面略コの字状となっており、カバー側リブ１２３には、一対の板状部１１３ｄ、１１３ｅ間に挟まれて嵌合する第１嵌合部１２３ａと、板状部１１３ｆを挟んで嵌合する第２嵌合部１２３ｂとが形成されている。このため、本体側リブ１１３、カバー側リブ１２３を１つ設けるだけで、この第１嵌合部１２３ａにより板状部１１３ｆと平行方向（つまり左右方向）の位置決めを行うことができ、この第２嵌合部１２３ｂにより一対の板状部１１３ｄ、１１３ｅと平行方向（つまり車両の前後方向）の位置決めを正確に行うことができる。
【００４１】
また、本体側リブ１１３には、三角リブ１１３ｃが設けられている。この構成によれば、三角リブ１１３ｃにより、本体側リブ１１３及びカバー側リブ１２３を嵌合する際に、三角リブ１１３ｃをつぶす当て設計にしているため、嵌合後のガタつきがなくなり、ガタつきによる異音を防止することができる。
【００４２】
なお、上述した実施形態によれば、本体側リブ１１３の形状を断面略コの字状に形成していた。しかしながら、例えば、本体側リブ１１３の嵌合穴を断面略円状に設け、嵌合穴を形成する側面のうち、正面側を開口した、つまり断面略弧状に形成することも考えられる。断面略弧状の本体側リブ１１３の場合、嵌合穴を中心とした軸回りのアッパカバー１２０位置が定まらなくなるため、少なくとも２つ設ける必要がある。また、本体側リブ１１３、カバー側リブ１２３の形状は上述した実施形態のものに限ったものではない。さらに、三角リブ１１３ｃは本体側リブ１１３に設けていたが、カバー側リブ１２３の方に設けてもよい。
【図面の簡単な説明】
【００４３】
【図１】本発明のメータ本体、メータカバーを備えたメータを組み込んだステアリングコラムモジュールの部分分解斜示図である。
【図２】図１に示すステアリングコラムモジュールの部分斜示図である。
【図３】（Ａ）及び（Ｂ）は各々、本体側リブ１１３の斜示図及び上面図である。
【図４】本体側リブ１１３にカバー側リブ１２３を嵌合させた状態での図３（Ｂ）におけるＩＩ−ＩＩ線断面図である。
【図５】図４におけるＩＩＩ−ＩＩＩ線断面図である。
【図６】図５におけるＩＶ−ＩＶ線断面図である。
【図７】（Ａ）は従来のメータの一例を示す分解概略斜示図であり、（Ｂ）はオプションメータ取付前の部分断面図であり、（Ｃ）はオプションメータ取付後の部分断面図である。
【符号の説明】
【００４４】
１００    メータ
１１０    メータ本体
１１３    本体側リブ（メータ本体側位置決め手段、第１凸状部）
１１３ｃ  三角リブ（弾性凸部）
１１１    表示器
１１２    コネクタ
１２０    アッパカバー（メータカバー）
１２２    切欠部
１２３    カバー側リブ（メータカバー側位置決め手段、第２凸状部）
２００    オプションメータ
【図１】
2006189316.tif 000003
【図２】
2006189316.tif 000004
【図３】
2006189316.tif 000005
【図４】
2006189316.tif 000006
【図５】
2006189316.tif 000007
【図６】
2006189316.tif 000008
【図７】
2006189316.tif 000009